(57)【特許請求の範囲】
【請求項１】
放送受信装置と，前記放送受信装置を遠隔操作する遠隔通信装置とからなる遠隔操作システムであって：
前記遠隔通信装置は，
電子番組情報を取得する番組取得部と；
無線通信によって，別体の電子機器からデータを取得するデータ取得部と；
前記電子番組情報から，前記取得されたデータに含まれる情報に基づいて番組を複数抽出して，前記放送受信装置の録画予約に必要な録画データを生成する録画データ生成部と；
前記抽出された複数の番組を表示部に表示させ，表示された複数の番組の中から番組を選択させる番組選択部と；
前記録画データを記憶する録画データ記憶部と；
前記記憶された録画データを前記放送受信装置に送信する録画データ送信部と；
を備え，
前記録画データ生成部は，前記選択された番組の録画データを生成し，
前記放送受信装置は，
前記遠隔通信装置から録画データを受信する録画データ受信部と；
前記録画データに応じて，録画予約を行う録画予約部と；
前記録画予約に基づいて放送信号を受信し，録画する録画部と；
を備えることを特徴とする，遠隔操作システム。
【請求項２】
放送信号を受信し記録する放送受信装置を遠隔操作する遠隔通信装置であって：
無線通信によって，別体の電子機器からデータを取得するデータ取得部と；
電子番組情報を取得する番組取得部と；
前記電子番組情報から，前記取得されたデータに含まれる情報に基づいて番組を複数抽出して，前記放送受信装置の録画予約に必要な録画データを生成する録画データ生成部と；
前記抽出された複数の番組を表示部に表示させ，表示された複数の番組の中から番組を選択させる番組選択部と；
前記録画データを記憶する録画データ記憶部と；
前記記憶された録画データを前記放送受信装置に送信する録画データ送信部と；
を備え，
前記録画データ生成部は，前記選択された番組の録画データを生成することを特徴とする，遠隔通信装置。
【請求項３】
前記番組取得部は，前記データ取得部により取得されたデータに基づいて検索範囲を決定し、前記決定された検索範囲から前記電子番組情報を取得する，請求項２に記載の遠隔通信装置。
【請求項４】
前記データ取得部は，前記電子機器から取得するデータに情報の取得先を指示する指示情報が含まれる場合，前記指示情報により示される情報の取得先からデータを取得し，
前記録画データ生成部は、前記取得されたデータに基づいて番組を複数抽出して，前記放送受信装置の録画予約に必要な録画データを生成する，請求項２に記載の遠隔通信装置。
【請求項５】
表示部と；
前記取得されたデータ中の複数のキーワードを前記表示部に表示し，ユーザにキーワードを選択させる番組選択部と；
をさらに備え，
前記録画データ生成部は，前記選択されたキーワードと合致する番組を前記電子番組情報から抽出して，前記録画データを生成することを特徴とする，請求項２に記載の遠隔通信装置。
【請求項６】
前記合致する番組があった場合，ユーザにその旨を伝達する伝達部をさらに備えることを特徴とする，請求項５に記載の遠隔通信装置。
【請求項７】
表示部と；
前記録画データ記憶部に記憶された録画データを前記表示部に表示し，ユーザに録画データを選択させる録画データ選択部と；
をさらに備え，
前記録画データ送信部は，選択された録画データを送信することを特徴とする，請求項２に記載の遠隔通信装置。
【請求項８】
前記別体の電子機器は，ＩＣタグもしくはＩＣカードであることを特徴とする，請求項２に記載の遠隔通信装置。
【請求項９】
前記無線通信は，近距離無線規格を用いていることを特徴とする，請求項２に記載の遠隔通信装置。
【請求項１０】
前記遠隔通信装置から放送受信装置への録画データの送信は，ＩｒＤＡによって行われることを特徴とする，請求項２に記載の遠隔通信装置。
【請求項１１】
放送信号を受信し記録する放送受信装置を遠隔操作するためのプログラムであって：
コンピュータを，
電子番組情報を取得する番組取得部と；
無線通信によって，別体の電子機器からデータを取得するデータ取得部と；
前記電子番組情報から，前記取得されたデータに含まれる情報に基づいて番組を複数抽出して，前記放送受信装置の録画予約に必要な録画データを生成する録画データ生成部と；
前記抽出された複数の番組を表示部に表示させ，表示された複数の番組の中から番組を選択させる番組選択部と；
前記録画データを記憶する録画データ記憶部と；
前記記憶された録画データを前記放送受信装置に送信する録画データ送信部と；
を備え，前記録画データ生成部は，前記選択された番組の録画データを生成する，遠隔通信装置として機能させるための，プログラム。
【請求項１２】
放送信号を受信し記録する放送受信装置を遠隔操作する遠隔操作方法であって：
電子番組情報を取得する番組取得ステップと；
無線通信によって，別体の電子機器からデータを取得するデータ取得ステップと；
前記電子番組情報から，前記取得されたデータに含まれる情報に基づいて番組を複数抽出するステップと；
前記抽出された複数の番組を表示部に表示させ，表示させた複数の番組の中から番組を選択させるステップと；
前記放送受信装置が前記選択された番組を録画予約するために必要な録画データを生成する録画データ生成ステップと；
前記録画データを記憶する録画データ記憶ステップと；
前記記憶された録画データを前記放送受信装置に送信する録画データ送信ステップと；
を含むことを特徴とする，遠隔操作方法。
【発明の詳細な説明】
【技術分野】
【０００１】
本発明は，遠隔操作システム，遠隔操作器，遠隔操作方法にかかり，例えば，放送信号を受信し記録する放送受信装置を遠隔操作する遠隔操作システム，遠隔操作器，遠隔操作方法に関する。
【背景技術】
【０００２】
従来におけるビデオレコーダ等の放送受信装置では，放送信号と共に電子番組情報（ＥＰＧ：Ｅｌｅｃｔｒｏｎｉｃ  Ｐｒｏｇｒａｍ  Ｇｕｉｄｅ）も受信され，テレビジョン等の表示部に上記電子番組情報を表示，選択して所望の番組を録画予約していた。かかる電子番組情報の利用方法では，ユーザが手動で番組を検索しなくてはならなかった。
【０００３】
希望する番組の検索を容易にするために，テレビ番組の番組識別情報をＩＣタグ等で特定し，容易に録画予約を行う技術が開示されている（例えば，特許文献１）。しかし，かかる技術は，単に検索のキーワード入力を省略できるだけであり，一台の放送受信装置に１つのＩＣタグを要するのでコストの増大に繋がる。
【０００４】
一方，駅等に掲示してある広告用ポスターに埋設されたＩＣタグやＩＣカードに携帯電話等の携帯端末を翳してそのポスターに関連したＵＲＬ等の情報を入手し，その情報を元に新たな処理を行う技術（例えば，特許文献２）も実施段階にある。かかる技術では，１つのＩＣタグに埋設された情報を多数のユーザが利用しているので，低コストでの運用が可能である。
【０００５】
例えば，このような広告用ポスターに埋設された情報を一旦小型機にワイヤレスで受信保存し，放送受信装置の設置場所に移動して，小型機から放送受信装置にその情報を伝達する技術も開示されている（例えば，特許文献３）。しかし，上記小型機に受信保存した時点ではその情報が正しく録画予約できる情報であるかどうかの確認ができず，録画予約が正しくできていなかった場合，情報自体が誤っているのか，情報の受信方法が悪かったのか，小型機が故障しているのか分からないといった問題があった。また，いずれにしてもその情報を入手するため，再度，広告用ポスターの場所に行かなくてはならないという煩わしさがあった。
【０００６】
【特許文献１】特開２００４−１７３００４号公報
【特許文献２】特開２００１−１６０１０５号公報
【特許文献３】特開平１１−２２５２９４号公報
【発明の開示】
【発明が解決しようとする課題】
【０００７】
本発明は，従来の放送受信装置の遠隔操作に関する上記問題点に鑑みてなされたものであり，本発明の目的は，任意の場所で所望する放送番組の情報を取得し，その場所で番組予約の可否を確認することが可能な，新規かつ改良された遠隔操作システム，遠隔操作器，遠隔操作方法を提供することである。
【課題を解決するための手段】
【０００８】
上記課題を解決するために，本発明のある観点によれば，放送受信装置と，上記放送受信装置を遠隔操作する遠隔操作器（リモートコントローラ）とからなる遠隔操作システムが提供される。
【０００９】
上記遠隔操作システムでは，遠隔操作器が，広告用ポスターに埋設されたＩＣタグやＩＣカード等の電子機器から無線通信によってデータを取得し，その場で録画予約の可否，番組に関する情報等を確認してしまうので，残る処理は放送受信装置への転送だけといった状態となる。即ち，録画予約は，広告用ポスターの位置で確定される。
【００１０】
例えば，テレビドラマが切り替わる時期に，電車に掲示された新テレビドラマのポスターからそのテレビドラマの放送時刻を取得し，自宅に持ち帰ってそのままＤＶＤレコーダに録画予約するといった流れである。かかるポスターからのデータの取得は，ＵＲＬ等の指示情報を介しての取得を含む。
【００１１】
上記電子機器は，データの無線通信を行う電子通信部と；データを保持する電子保持部と；上記遠隔操作器が通信可能範囲内にあるとき，上記電子保持部に保持されたデータを，上記電子通信部を介して該遠隔操作器に送信するデータ送信部と；を備えるとしても良い。
【００１２】
かかる電子機器は，広告用ポスターのＩＣタグやＩＣカードを含み，遠隔操作器は，携帯電話等の携帯端末を含んでいる。電子機器は，遠隔操作器が通信可能範囲にあることを検知し，データの送信を開始する。遠隔操作器は，このデータから所望する放送番組を抽出し，録画予約に備えて録画データを生成する。
【００１３】
上記放送受信装置は，上記遠隔操作器から録画データを受信する録画データ受信部と；上記録画データに応じて，録画予約を行う録画予約部と；上記録画予約に基づいて放送信号を受信し，録画する録画部と；を備えるとしても良い。
【００１４】
かかる放送受信装置は，放送信号を受信し，テレビジョン等の表示装置に放送信号を表示する。また，上記録画予約部や録画部の構成により，録画予約に関する放送信号を，内装された，もしくは別体に設けられる記憶媒体に記憶することができる。
【００１５】
上記遠隔操作器は，電子番組情報を取得する番組取得部と；無線通信によって，別体の電子機器からデータを取得するデータ取得部と；上記電子番組情報から，上記取得されたデータ中の番組名もしくはキーワードと合致する番組を抽出して，上記放送受信装置の録画予約に必要な録画データを生成する録画データ生成部と；上記録画データを記憶する録画データ記憶部と；上記記憶された録画データを上記放送受信装置に送信する録画データ送信部と；を備えるとしても良い。上記録画は，画像および音声の記録処理を示す。
【００１６】
かかる番組取得部の構成により，広告用ポスターのＩＣタグやＩＣカード等の別体の電子機器から取得したデータに関して，その場で，そのデータに関連した放送番組を検索することができる。このようにして，所望する放送番組の予約可否をその場で確認することができ，短時間で確実かつ効率的に録画予約を確定できる。
【００１７】
また，このようにして生成された録画データを記憶する録画データ記憶部の構成により，随時録画データを蓄積することができる。また，放送受信装置に対して，蓄積された録画データを別のタイミングで一度に送信することが可能となる。
【００１８】
上記番組取得部は，データ取得部が取得したデータからその検索範囲を絞って，絞られた範囲の電子番組情報のみを取得するとしても良い。
【００１９】
電子番組情報にキーワード等が合致する放送番組があった場合，ユーザにその旨を伝達する伝達部をさらに備えるとしても良い。上記伝達部は，遠隔操作器において生じる音響，表示，振動等により，ユーザに合致する放送番組があったことを知らせる。
【００２０】
かかる構成により，ユーザは，電子機器からのデータを基に所望する放送番組を抽出できたことを把握でき，情報の取得ミスを防止できる。即ち，電子機器が埋設された広告用ポスターの位置において録画予約可能かどうかを確認し，データ取得エラーが生じた場合，その場で再読込でき，録画予約の準備が確実に実施される。
【００２１】
表示部と；上記取得されたデータ中の複数の番組名もしくは複数のキーワードを上記表示部に表示し，ユーザに番組名もしくはキーワードを選択させる番組選択部と；をさらに備え，上記録画データ生成部は，上記選択された番組名もしくはキーワードと合致する番組を抽出して，上記録画データを生成するとしても良い。
【００２２】
かかる構成により，上記電子機器に関連付けられた複数の情報から，所望する情報を選択することができる。ここで選択される番組名もしくはキーワードは複数であっても良い。
【００２３】
上記番組選択部は，さらに，上記録画データ生成部が複数の番組を抽出した場合，ユーザに番組を選択させるとしても良い。かかる構成により，ユーザが真に所望する番組を選択することが可能となる。ここで選択される番組は複数であっても良い。
【００２４】
表示部と；上記録画データ記憶部に記憶された録画データを上記表示部に表示し，ユーザに録画データを選択させる録画データ選択部と；をさらに備え，上記録画データ送信部は，選択された録画データを送信するとしても良い。
【００２５】
かかる構成により，蓄積された録画データから真に録画したい番組を選択でき，不要な録画処理を回避できる。
【００２６】
上記別体の電子機器は，ＩＣタグもしくはＩＣカードであるとしても良い。
【００２７】
上記無線通信は，近距離無線規格を用いても良い。データ取得対象である電子機器は，広告用ポスターのように外気に露出されている場合が多く，そのため非接触な無線通信が有効となる。このような非接触な無線通信としては，例えば，近距離無線規格（ＮＦＣ：Ｎｅａｒ  Ｆｉｅｌｄ  Ｃｏｍｍｕｎｉｃａｔｉｏｎ）を利用することができる。また，他の様々な通信手段を適用することもできる。例えば，無線または有線による接触式または非接触式の通信によって送信されるとしても良い。
【００２８】
上記遠隔操作器から放送受信装置への録画データの送信は，ＩｒＤＡ（Ｉｎｆｒａｒｅｄ  Ｄａｔａ  Ａｓｓｏｃｉａｔｉｏｎ）によって行われるとしても良い。また，録画データを，例えば，無線パケット通信による電子メールに添付して所定のアドレスに送信し，放送受信装置が定期的にかかるアドレスを読みにいって録画データを取得するとしても良いし，電子メールで，直接，放送受信装置に連絡するとしても良い。また，他の様々な通信手段を適用することもできる。例えば，無線または有線による接触式または非接触式の通信によって送信されるとしても良い。
【００２９】
上記課題を解決するために，本発明の別の観点によれば，上記電子機器，遠隔操作器
放送受信装置として機能するプログラムや，上記放送受信装置を遠隔操作する遠隔操作方法も提供される。
【００３０】
また，かかる遠隔操作器と放送受信装置は，１つの装置で構成することもできる。さらに，電子機器の電子保持部や遠隔操作器の録画データ記憶部はインターネット等を介して別体に設けられるとしても良く，遠隔操作器の各構成要素は，別体の装置に分散して設けられるとしても良い。
【発明の効果】
【００３１】
以上説明したように本発明によれば，任意の場所で所望する放送番組の情報を取得し，その場所で番組予約の可否を確認，蓄積できるので，録画予約が可能なことを情報取得段階で確定できる。従って，録画予約時点で録画ができないことが分かるといった事故を回避可能となる。
【発明を実施するための最良の形態】
【００３２】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３３】
例えば，駅等に掲示してある広告用ポスターの内容に関するＵＲＬや地図情報を入手しようとした場合，そのポスターに埋設されたＩＣタグやＩＣカードに携帯電話等の携帯端末を翳すといった行為のみで，非接触に情報をダウンロードすることができる。
【００３４】
また，広告用ポスターがテレビジョンで放送される放送番組の広告であったり，それに類似する情報が掲載されている場合，このような情報を携帯端末にダウンロードするのみに留まらず，視聴したい放送番組まで特定できると便利である。さらに，この時点で番組の録画予約まで確定できると，その広告用ポスターはもはや不要になる。
【００３５】
上記のような非接触な無線通信としては，例えば，近距離無線規格（ＮＦＣ：Ｎｅａｒ  Ｆｉｅｌｄ  Ｃｏｍｍｕｎｉｃａｔｉｏｎ，以下，ＮＦＣと言う。）を利用することができる。かかるＮＦＣは，その利用範囲が１０ｃｍ程度と狭いので，ハンドアクションにより通信相手を限定する等セキュリティにも優れている。また，ＩＣタグやＩＣカードが埋設された広告用ポスターは，外気に露出されている場合が多く，そのため上記非接触な無線通信が有効となる。
【００３６】
（第１の実施形態：遠隔操作システム）
図１および図２は，第１の実施形態における遠隔操作システムの概略的な構成を示したブロック図である。かかる遠隔操作システムにおいて，図１は，広告用ポスター等データを蓄積している電子機器１００と，該電子機器１００からデータを無線通信によって取得する遠隔操作器１１０とを示し，図２は，遠隔操作器１１０と，遠隔操作器１１０からの遠隔操作により制御される放送受信装置１３０とを示している。
【００３７】
図１を参照すると，上記電子機器１００は，例えば，ポスター等の有体物１２０に設置される。かかる有体物１２０は，広告，ポスター，掲示板，看板等の公共物を含み，ユーザに何かしらの情報を伝える目的に使用され得る。このような有体物１２０に設置された電子機器１００としてのＩＣタグやＩＣカードは，独立した電源を有さず，別体の電子機器から電波による電源供給を受けて動作するとしても良い。
【００３８】
上記電子機器１００は，遠隔操作器１１０が通信可能範囲にあることを検知し，自動的に，もしくは，任意のトリガを契機にデータの送信を開始する。遠隔操作器１１０は，このデータを取得し，そのデータを直接参照したり，そのデータから番組の録画予約を行ったりすることができる。
【００３９】
上記遠隔操作器１１０は，上記電子機器１００とは別体に設けられ，ユーザによって移動自在な，携帯電話，携帯型ゲーム機，ＰＤＡ（Ｐｅｒｓｏｎａｌ  Ｄｉｇｉｔａｌ  Ａｓｓｉｓｔａｎｔ），モバイルパーソナルコンピュータ，時計，電卓，マウス等により実施される。
【００４０】
ポスター等の有体物１２０の管理者は，ポスターの設置時またはそれ以前に，電子機器１００としてのＩＣタグに対して，ポスターの内容に関連した情報（番組名，放送チャンネル，放送開始時刻，放送時間，放送終了時間，出演者，ＵＲＬ，概略情報，詳細情報，地図情報，料金，日時等）を書き込む。ユーザは，そのポスターの内容に興味を示すと，ポスターの内容を記録するため，もしくは，新たな情報を得るために，かかるポスターのＩＣタグに遠隔操作器１１０としての携帯端末を近づけ，簡単な操作によってダウンロードを開始する。また，上記ポスターにはＵＲＬ等の指示情報のみが掲載され，具体的なポスターの内容は，指示されたＵＲＬからダウンロードして取得するとしても良い。
【００４１】
この様にポスターの情報を取得した遠隔操作器１１０では，内容確認のメッセージを表示すると共に，その内容に応じた放送番組を抽出し，さらにその番組がユーザの所望する番組であるかどうかを確認する。ここで，ユーザが承認した番組は，録画予約準備の処理が自動的に行われ，遠隔操作器１１０にこの録画予約のデータ（録画データ）が蓄積される。
【００４２】
続いて，図２に示すように，ポスターの設置場所と位置が相違する，例えばユーザの自宅等において，遠隔操作器１１０からユーザ所有の放送受信装置１３０に上記録画データが送信される。このときユーザが処理すべき操作は，遠隔操作器１１０に蓄積された録画データの送信だけである。これは，ポスターから情報をダウンロードする時点で，録画に必要な全ての情報が形成されているからである。ただし，複数の録画データが遠隔操作器１１０に蓄積されている場合，ユーザは，その中から実際に録画予約する録画データを選択することが可能である。
【００４３】
以下に，遠隔操作システムを形成する電子機器１００，遠隔操作器１１０および放送受信装置１３０を詳述する。
【００４４】
（第２の実施形態：電子機器１００）
図３は，第２の実施形態における電子機器１００の概略的な構成を示したブロック図である。上記電子機器１００は，アンテナ２１０と，電子制御部２１２と，電子通信部２１４と，電子保持部２１６と，データ送信部２１８とを含んで構成される。
【００４５】
上記アンテナ２１０は，少なくとも，ＮＦＣで無線通信可能な通信帯域を有し，例えば，ループアンテナ形状に形成されるとしても良い。
【００４６】
上記電子制御部２１２は，中央処理装置（ＣＰＵ）を含む半導体集積回路により電子機器１００全体を管理および制御する。
【００４７】
上記電子通信部２１４は，遠隔操作器１１０とデータの無線通信を行う。かかる電子通信部２１４は，例えば，ＲＦ回路，変復調回路，エンコーダ，デコーダ等から形成される。
【００４８】
上記電子保持部２１６は，ユーザが所望する情報を，ユーザが参照可能なデータ形式に変換して保持する。かかるデータを参照することにより，ユーザは，広告用ポスターの内容に関する番組情報や番組情報に繋がるキーワードを得ることができる。また，ＵＲＬや地図情報等も参照可能である。該電子保持部２１６はインターネット等を介して別体に設けられるとしても良い。
【００４９】
上記データ送信部２１８は，遠隔操作器１１０が通信可能範囲内にあるとき，例えば，利用する無線通信方式がＮＦＣであり，電子機器１００と遠隔操作器１１０との間が約１０ｃｍ以内であるとき，電子保持部２１６に保持されたデータを，電子通信部２１４を介して遠隔操作器１１０に送信する。かかる電子機器１００と遠隔操作器１１０間の通信は，遠隔操作器１１０が通信可能範囲内にあることを自動的に検知して，両者を認証した後，自動的に開始されるとしても良い。
【００５０】
また，上記電子機器１００は，ポスター等に設けられる非接触型のＩＣタグやＩＣカードであっても良い。かかる構成により，あからさまに電気部材が設けられているイメージを廃して，ポスターの外観を美しく保つことが可能となる。さらに，本実施形態における電子機器１００は無電源で利用できることから，メンテナンスのコストも削減できる。また，電子機器１００が能動的に他の電子機器と通信できる機能を有し，例えば，遠隔操作器１１０に設けられたＩＣカードを利用して情報を提供することもできる。
【００５１】
また，コンピュータを，上記電子機器１００として機能させるプログラムやそのプログラムを記憶した記憶媒体も提供される。
【００５２】
（具体的な回路の実施形態）
図４は，第２の実施形態による電子機器１００の概略的な構成を示した回路ブロック図である。ここでは，上述した電子機器１００をさらに具体的な回路で表している。
【００５３】
上記電子機器１００は，ループアンテナ２５０と，変復調回路２５２と，信号処理回路２５４と，不揮発性メモリ２５６と，電源生成部２５８とを含んで構成される。
【００５４】
上記ループアンテナ２５０は，小さな空間においても受信感度を上げるため複数のループを形成している。こうして，ＮＦＣの通信帯域に対応可能となる。また，利用される通信規格や搬送波の周波数によっては，上記ループアンテナ２５０を使用しなくても，ＩＣチップ内蔵のアンテナで対応できる。
【００５５】
上記変復調回路２５２は，遠隔操作器１１０へ送信するデータをＮＦＣに従って変調し，また，遠隔操作器１１０からの変調波をデータに復調する。
【００５６】
上記信号処理回路２５４は，信号処理を行う半導体集積回路であって，電子機器１００全体を管理および制御する。上記不揮発性メモリ２５６は，ＲＯＭとＲＡＭの両機能を有し，電源がオフしても記憶されている内容が消えない。従って，電子機器１００の管理者がデータを書き換え，その後，電源が供給されない状況になったとしても，そのデータは保持される。
【００５７】
上記電源生成部２５８は，遠隔操作器１１０と通信が接続されている間，遠隔操作器１１０からの電波を電力に変換し，変復調回路２５２，信号処理回路２５４，不揮発性メモリ２５６に供給する。このように電波から抽出された電力は通常小さいことから，上記各回路は極力低消費電力の素子が利用されることが多い。
【００５８】
（第３の実施形態：遠隔操作器１１０）
図５は，第３の実施形態における遠隔操作器１１０の概略的な構成を示したブロック図である。上記遠隔操作器１１０は，遠隔制御部３１０と，ＥＰＧアンテナ３１２と，番組取得部３１４と，データアンテナ３１６と，データ取得部３１８と，番組選択部３２０と，録画データ生成部３２２と，伝達部３２４と，録画データ記憶部３２６と，録画データ送信部３２８と，表示部３３０と，録画データ選択部３３２とを含んで構成される。
【００５９】
上記遠隔制御部３１０は，中央処理装置（ＣＰＵ）を含む半導体集積回路により遠隔操作器１１０全体を管理および制御する。
【００６０】
上記ＥＰＧアンテナ３１２は，番組名，放送チャンネル，放送開始時刻，放送時間，放送終了時間等から選択される１または２以上の番組に関するデータが，例えば現在から１週間先まで記載された電子番組情報（ＥＰＧ）を受信するアンテナである。かかる電子番組情報は，通常の放送信号と重畳して送信されている。従って，ＥＰＧアンテナ３１２を通常の放送信号受信用アンテナで代用することができる。
【００６１】
また，上記電子番組情報の取得は，かかるＥＰＧアンテナ３１２を介した場合に限られず，様々な方法が考えられ，例えば，インターネット等の通信網からのダウンロードによって行われても良い。
【００６２】
上記番組取得部３１４は，電子機器１００とデータの無線通信を行い，番組に関する情報（例えば，番組名，放送チャンネル，放送開始時刻，放送時間，放送終了時間等）を含む電子番組情報を取得する。かかる番組取得部３１４は，例えば，ＲＦ回路，変復調回路，エンコーダ，デコーダ等から形成される。
【００６３】
上記データアンテナ３１６は，少なくとも，上記ＮＦＣで無線通信可能な通信帯域を有し，例えば，ループアンテナ形状に形成されるとしても良い。かかるデータアンテナ３１６の構成により，ＮＦＣのシステムを採用している様々な電子機器１００のデータを参照することができる。従って，遠隔操作器１１０を有するユーザは，番組情報以外にも，自由にデータを読み取り，例えば，読み取ったデータ（コンテンツ）に含まれるＵＲＬから目的場所の地理的位置を把握するなど，さらなる処理を行うことができる。
【００６４】
上記データ取得部３１８は，無線通信によって電子機器１００からデータを取得する。かかるデータ取得部３１８は，取得したデータからその検索範囲を絞って，絞られた範囲の電子番組情報のみを番組取得部３１４に取得させるとしても良い。また，電子機器１００からＵＲＬ等の指示情報のみが送信された場合，指示されたＵＲＬにアクセスしてデータを取得する。
【００６５】
上記番組選択部３２０は，データ取得部３１８で取得されたデータ中の複数の番組名もしくは複数のキーワードを，後述する表示部３３０に表示し，ユーザに番組名もしくはキーワードを選択させる。かかる構成により，電子機器１００に関連付けられた複数の情報から所望する情報を選択することができる。ここで選択する番組名もしくはキーワードは複数であっても良い。また，選択のための表示部３３０への表示は，複数の番組がテキスト形式に並置してあっても良いし，アイコン形式に整列されていても良い。
【００６６】
また，後述する録画データ生成部３２２が複数の番組を抽出した場合，さらにユーザに番組を選択させる。かかる構成により，ユーザが真に所望する番組を選択することが可能となる。ここで選択する番組は複数であっても良い。
【００６７】
上記録画データ生成部３２２は，番組取得部３１４が取得した電子番組情報から，データ取得部３１８で取得されたデータ中の番組名もしくはキーワードと合致する番組を抽出して，放送受信装置１３０の録画予約に必要な録画データ３４０を生成する。また，録画データ生成部３２２は，番組選択部３２０において，ユーザに番組を選択させた場合，選択された番組名もしくはキーワードと合致する番組を抽出して，録画データ３４０を生成する。
【００６８】
また，遠隔操作する放送受信装置１３０が複数存在し，その放送受信装置１３０によって，録画データ３４０のフォーマット等が相違する場合，ユーザに，録画予約を行う放送受信装置１３０を選択させることができる。このとき，録画データ生成部３２２は，その選択された放送受信装置１３０のフォーマットに基づいた録画データ３４０を生成する。さらに，録画データ生成部３２２は，想定される全ての放送受信装置１３０を遠隔操作器１１０へ登録することにより，複数のフォーマットからなる録画データを生成することもできる。
【００６９】
かかる番組取得部３１４と録画データ生成部３２２の構成により，広告用ポスターのＩＣタグやＩＣカード等の別体の電子機器１００からデータを取得し，その場で，そのデータに関連した放送番組を検索することができる。このようにして，所望する放送番組の予約可否をその場で確認することができ，短時間で確実かつ効率的に録画予約を確定できる。
【００７０】
上記伝達部３２４は，録画データ生成部３２２において合致する放送番組が検出された場合，遠隔操作器１１０に予め設けられたスピーカー，ディスプレイ，バイブレータ等の音響，表示，振動により，ユーザにその旨を伝達する。かかる構成により，ユーザは，電子機器からのデータを基に所望する放送番組を抽出できたことを把握でき，情報の取得ミスが分からない事による弊害を防止できる。即ち，電子機器が埋設された広告用ポスターの設置位置において録画予約可能かどうかを確認でき，情報取得エラーがあるとその場で再読込できるので，録画予約を確実に実施できる。
【００７１】
上記録画データ記憶部３２６は，ハードディスクドライブやフラッシュメモリ等の記憶媒体からなり，録画データ生成部３２２で生成された録画データ３４０を記憶する。かかる録画データ記憶部３２６の構成により，随時，録画データ３４０を蓄積することができ，放送受信装置１３０に対して，蓄積された録画データ３４０を別のタイミングで一度に送信することが可能となる。
【００７２】
上記録画データ送信部３２８は，録画データ記憶部３２６に記憶された録画データ３４０を放送受信装置１３０に送信する。また，後述する録画データ選択部３３２が録画データを選択した場合，録画データ送信部３２８は，その選択された録画データ３４０を送信する。
【００７３】
かかる上記遠隔操作器１１０から放送受信装置１３０への録画データ３４０の送信は，ＩｒＤＡによって行われるとしても良い。かかるＩｒＤＡは，赤外線を利用して近距離のデータ通信を行うための規格であり，通信可能距離１ｍ，通信速度１１５．２ｋｂｐｓや４Ｍｂｐｓ以内，通信可能距離０．２ｍ，１１５．２ｋｂｐｓ以内等の仕様を有する。主として，パーソナルコンピュータやノートパソコンと携帯端末とを接続するのに使用される。
【００７４】
また，録画データ送信部３２８による録画データ３４０の送信は，放送受信装置１３０へ直接なされる場合に限られず，アドホックネットワーク等により他の通信端末を経由して，放送受信装置１３０に伝達されるとしても良い。
【００７５】
さらに，上記遠隔操作器１１０から放送受信装置１３０への録画データ３４０の送信を，ＷｉｒｅｌｅｓｓＬａｎやインターネット等の通信網を経由して行うとしても良い。また，遠隔操作器１１０で加工された録画データ３４０を電子メールに添付し，通信網およびメールサーバ（図示せず）を経由して放送受信装置１３０に伝達されるとしても良い。かかる電子メールで録画データを転送した場合，電子機器１００の設置場所で，録画予約の確定および，録画予約自体も完了させることが可能となる。
【００７６】
上記表示部３３０は，遠隔操作器１１０に設けられたディスプレイ等で形成され，テキストや画像によって，遠隔操作器１１０の処理内容をユーザに表示することができる。
【００７７】
上記録画データ選択部３３２は，録画データ記憶部３２６に記憶された複数の録画データ３４０を表示部３３０に表示し，ユーザに所望の録画データ３４０を選択させる。かかる構成により，蓄積された録画データ３４０から真に録画したい番組を選択でき，不要な録画処理を回避できる。
【００７８】
また，コンピュータを，上記遠隔操作器１１０として機能させるプログラムやそのプログラムを記憶した記憶媒体も提供される。
【００７９】
（具体的な回路の実施形態）
図６は，第３の実施形態による遠隔操作器１１０の概略的な構成を示した回路ブロック図である。ここでは，上述した遠隔操作器１１０をさらに具体的な回路で表している。
【００８０】
上記遠隔操作器１１０は，放送アンテナ３５０と，ＥＰＧ受信回路３５２と，ループアンテナ３５４と，変復調回路３５６と，ＣＰＵ３５８と，ＲＯＭ３６０と，ＲＡＭ３６２と，表示部３６４と，入力部３６６と，ＩｒＤＡ送信回路３６８と，発光部３７０とを含んで構成される。
【００８１】
上記放送アンテナ３５０は，テレビジョン等の放送信号を受信するアンテナであって，ここでは，特に電子番組情報を取得するために利用される。
【００８２】
上記ＥＰＧ受信回路３５２は，テレビジョン等の放送信号を受信し，少なくとも電子番組情報を抽出する。
【００８３】
上記ループアンテナ３５４は，小さな空間においても受信感度を上げるため複数のループを形成している。こうして，ＮＦＣの通信帯域に対応可能となる。
【００８４】
上記変復調回路３５６は，電子機器１００へ送信するデータをＮＦＣに従って変調し，また，電子機器１００からの変調波をデータに復調する。
【００８５】
上記ＣＰＵ３５８は，信号処理を行う半導体集積回路であって，遠隔操作器１１０全体を管理および制御する。上記ＲＯＭ３６０は，ＣＰＵ３５８に読み込まれた遠隔操作器１１０を制御するプログラムが予め記憶されている。上記ＲＡＭ３６２は，ＣＰＵ３５８が遠隔操作器１１０として機能するための所定データを一時記憶したり，変数を格納したりする場所として利用される。
【００８６】
上記表示部３６４は，モノクロもしくはカラーのディスプレイで表され，電子機器１００から読み取った番組等のデータを表示する。上記入力部３６６は，キーボード，テンキー等のキー入力部（図示せず）で形成され，表示部３６４の表示機能を支援し，また，上記番組や録画データを選択する選択キーとして利用される。
【００８７】
上記ＩｒＤＡ送信回路３６８は，ＩｒＤＡ規格に基づいて，遠隔操作器１１０で蓄積されている録画データ３４０を送信する。上記発光部３７０は，赤外線を発光し，ＩｒＤＡ送信回路３６８で生成されたタイミングで，離散的信号を送信する。
【００８８】
（第４の実施形態：放送受信装置１３０）
図７は，第４の実施形態における放送受信装置１３０の概略的な構成を示したブロック図である。上記放送受信装置１３０は，放送制御部４１０と，録画データ受信部４１２と，録画予約部４１４と，予約データ記憶部４１６と，録画部４１８とを含んで構成される。
【００８９】
上記放送制御部４１０は，中央処理装置（ＣＰＵ）を含む半導体集積回路により放送受信装置１３０全体を管理および制御する。
【００９０】
上記録画データ受信部４１２は，遠隔操作器１１０からの録画データ３４０を受信する。
【００９１】
上記録画予約部４１４は，録画データ受信部４１２が受信した録画データ３４０に応じて，録画予約を行う。かかる録画予約は，現時点を含む将来に対して，例えば，番組名，放送チャンネル，放送開始時刻，放送時間，放送終了時間を指定し，既に録画が確定している録画予約リスト４４０に，かかる録画予約内容を追加することによって行われるとしても良い。
【００９２】
上記予約データ記憶部４１６は，ハードディスクドライブやフラッシュメモリ等の記憶媒体からなり，録画予約部４１４が生成した予約リスト４４０を記憶する。
【００９３】
上記録画部４１８は，予約データ記憶部４１６に記憶された予約リスト４４０における録画予約に基づいて放送信号を受信し，自己に設けられたハードディスクドライブや，別体のＣＤ，ＤＶＤ等の記憶媒体４２０に録画する。
【００９４】
また，コンピュータを，上記放送受信装置１３０として機能させるプログラムやそのプログラムを記憶した記憶媒体も提供される。
【００９５】
（具体的な回路の実施形態）
図８は，第４の実施形態による放送受信装置１３０の概略的な構成を示した回路ブロック図である。ここでは，上述した放送受信装置１３０をさらに具体的な回路で表している。
【００９６】
上記放送受信装置１３０は，ＩｒＤＡ受信回路４５０と，ＣＰＵ４５２と，ＲＯＭ４５４と，ＲＡＭ４５６と，ハードディスクドライブ（ＨＤＤ）４５８と，ＤＶＤドライブ４６０と，表示部４６２と，入力部４６４ととを含んで構成される。
【００９７】
上記ＩｒＤＡ受信回路４５０は，ＩｒＤＡ規格に基づいて，遠隔操作器１１０のＩｒＤＡ送信回路３６８から送信される録画データ３４０を受信する。かかるＩｒＤＡは赤外線を利用しており，基本的に離散的信号で表される。
【００９８】
上記ＣＰＵ４５２は，信号処理を行う半導体集積回路であって，放送受信装置１３０全体を管理および制御する。上記ＲＯＭ４５４は，ＣＰＵ４５２に読み込まれた放送受信装置１３０を制御するプログラムが予め記憶されている。上記ＲＡＭ４５６は，ＣＰＵ４５２が放送受信装置１３０として機能するための所定データを一時記憶したり，変数を格納したりする場所として利用される。
【００９９】
上記ハードディスクドライブ４５８は大容量のデータを記憶可能な記憶媒体であり，後述するＤＶＤやＣＤ同様にランダムアクセスが可能である。上記ＤＶＤドライブ４６０は，別体のＤＶＤが挿入され，かかるＤＶＤへのデータの書き込み／読み取りを行う。また，他の記憶媒体として，ＣＤ，磁気テープ，ＭＯ，フラッシュメモリ等も利用可能である。
【０１００】
上記表示部４６２は，モノクロもしくはカラーのディスプレイで表され，録画予約の確認等に利用される。上記入力部４６４は，キーボード，テンキー等のキー入力部（図示せず）で形成され，表示部４６２の表示機能を支援する。
【０１０１】
また，かかる放送受信装置１３０と上記遠隔操作器１１０とは，１つの装置で構成することもできる。
【０１０２】
（第５の実施形態：遠隔操作システム）
以下，上述した電子機器１００，遠隔操作器１１０，放送受信装置１３０を利用した遠隔操作システムについて，具体的な実施形態を挙げて説明する。
【０１０３】
図９は，遠隔操作システムの具体例を示す模式図である。先ず，電子機器１００として，コンテンツサーバ５１０，広告用ポスター５１２，携帯端末５１４が示され，遠隔操作器１１０として，携帯型ゲーム機５１６が示されている。
【０１０４】
例えば，携帯型ゲーム機５１６をインターネット等の通信網を介してコンテンツサーバ５１０に接続し，そのコンテンツサーバ５１０が所持する放送番組等のコンテンツをダウンロードして，電子番組情報と結びつける。また，広告用ポスター５１２や携帯端末５１４には上記ＮＦＣ規格によるＮＦＣチップが設けられ，同様にＮＦＣチップが設けられた携帯型ゲーム機５１６とＮＦＣによるデータ通信を行うことが可能である。
【０１０５】
このようにユーザの所望する情報を有した様々な装置（電子機器１００）から，その情報に関するデータを取得完了すると，携帯型ゲーム機５１６内で，電子番組情報との関連づけが行われ，録画データが生成，蓄積される。かかる録画データは，少なくとも放送受信装置１３０に対して録画予約が完了するまで，携帯型ゲーム機５１６内に保持されるとしても良い。
【０１０６】
かかる電子機器１００からのデータ取得と時間や場所を異にして，携帯型ゲーム機５１６は，放送受信装置１３０に録画データを送信する。かかる放送受信装置１３０は，例えば，カーナビゲーションシステム５２０，ＩＲＤ（Ｉｎｔｅｇｒａｔｅｄ  Ｒｅｃｅｉｖｅｒ＆Ｄｅｃｏｄｅｒ）５２２，ＨＤＤ（Ｈａｒｄ  Ｄｉｓｋ  Ｄｒｉｖｅ）レコーダ５２４，オーディオプレーヤ５２６，テレビジョン５２８からなる。上記放送受信装置１３０は，受信した録画データに応じて録画予約を遂行し，その放送開始時間になると録画を開始する。
【０１０７】
また，上記放送受信装置１３０にもＮＦＣチップが搭載されていた場合，遠隔操作器１１０を放送受信装置１３０の所定範囲に翳す，もしくは触れるだけで，録画データが自動的に送信されるとしても良い。
【０１０８】
ここでは，電子機器１００，遠隔操作器１１０，放送受信装置１３０として様々な装置を列挙したが，かかる装置に限られず，電子機器１００，遠隔操作器１１０，放送受信装置１３０の構成要素を含むあらゆる装置を適用することができる。また，図９において，電子機器１００や放送受信装置１３０として示した各装置を，遠隔操作器１１０として利用することも可能である。
【０１０９】
図１０は，上述した遠隔操作システムにおける電子番組情報との関連づけを説明するための説明図である。ここでは，電子機器１００としてのコンテンツサーバ５１０における音楽・映画コンテンツ情報５５０や，広告用ポスター５１２および携帯端末５１４におけるニュース情報５５２や店舗情報５５４を，遠隔操作器１１０にダウンロードし，ダウンロードされたデータ中の番組名もしくはキーワードに関連がある番組を，電子番組情報５５６から抽出して，番組予約情報としての録画データ５５８を生成する。そして，その録画データ５５８を放送受信装置１３０としてのＨＤＤレコーダ５２４に送信する。
【０１１０】
ここでは，例えば，コンテンツサーバ５１０における音楽・映画コンテンツ情報５５０から楽曲ヒットチャートを読み込んで，その中から所望する楽曲を録画（録音）したり，最新映画情報から関連する番組の録画を行ったりしている。
【０１１１】
図１１Ａは，電子機器１００が有する広告用ポスターデータを，図１１Ｂは，遠隔操作器１１０が生成する録画データを示した説明図である。
【０１１２】
図１１Ａにおける広告用ポスターは，放送番組そのもののデータである。かかる広告用ポスターは，ポスターの識別番号を示す広告用ポスター番号６１０，放送番組の個別名（タイトル）を示す番組名６１２，その番組の内容もしくは番組を特定するためのキーワードを記した番組内容６１４，そして，その番組の出演者６１６である俳優Ａ，女優Ｂ，…，俳優Ｘ等が記されている。
【０１１３】
図１１Ｂに示す録画データは，図１１Ａに示した広告用ポスターの情報を基に，電子番組情報から検出されたデータである。かかる録画データは，録画する番組の放送開始時刻，放送時間としての放送日付６３０と放送時刻６３２，放送チャンネル６３４，番組のジャンル６３６，そして，広告用ポスター同様，出演者６３８である俳優Ａ，女優Ｃ，…，子役Ｙ等が記されている。かかる録画データは，広告用ポスターのデータ，例えば，番組名やキーワードから検索された新たなデータなので，付属する情報，例えば出演者６３８が元の広告用ポスターのデータと相違している。
【０１１４】
放送受信装置１３０は，上記録画データとして，少なくとも放送開始時刻および放送チャンネルの情報を有していれば，録画予約を行うことができる。
【０１１５】
図１２Ａは，電子機器１００が有する広告用ポスターデータの他の実施形態を，図１２Ｂは，遠隔操作器１１０が生成する録画データの他の実施形態を示した説明図である。
【０１１６】
図１２Ａに示す広告用ポスターデータは，図１１Ａと違い，放送番組に限られていない一般的な情報を示している。かかる広告用ポスターは，ポスターの識別番号を示す広告用ポスター番号６５０，該ポスターの個別名（タイトル）を示すポスター名６５２，そのポスターに記載された内容の有効期限を示す情報有効期限６５４，そして，そのポスターの内容に関する説明キーワード６５６である，「○○温泉」６５８，「△△せんべい」６６０，…，「番組××撮影」６６２が記されている。
【０１１７】
図１２Ａにおける広告用ポスターは，元々放送番組の録画を目的として作成されたものではない。従って，遠隔操作器１１０は，上記のデータからキーワードを抽出して，そのデータの情報に沿った放送番組を検索する必要がある。そこで，遠隔操作器１１０には，番組選択部３２０が設けられており，取得されたデータ中の複数のキーワードを表示部３３０に表示し，ユーザに番組名もしくはキーワードを選択させる。また，選択された番組名もしくはキーワードで電子番組情報を検索し，複数の番組を抽出した場合においても，ユーザに番組を選択させる。
【０１１８】
ここでは，例えば，ポスター名６５２と，説明キーワード６５６の「○○温泉」６５８と，「番組××撮影」６６２から○○温泉をロケ地とした番組放送を検出している。
【０１１９】
図１２Ｂに示す録画データは，図１２Ａに示した広告用ポスターの情報を基にして番組を検索した結果である。かかる録画データは，録画する番組の放送開始時刻，放送時間としての放送日付６８０と放送時刻６８２，放送チャンネル６８４，番組名６８６，そして，番組に出演する出演者６８８である俳優Ａ，女優Ｃ，その番組のロケ地６９４としての○○温泉６９６が記されている。
【０１２０】
（第６の実施形態：遠隔操作システム）
以下，上述した電子機器１００，遠隔操作器１１０，放送受信装置１３０を利用した他の実施形態による遠隔操作システムについて説明する。ここでは，遠隔操作器１１０が電子機器１００からデータを取得し，遠隔操作器１１０内で，電子番組情報に対応する音楽や映画に参照される楽曲情報，例えば，楽曲を一意に特定できる情報と関連づけて，録画データに対応する楽曲データを生成する。その楽曲データによって，放送受信装置１３０は，かかる楽曲のダウンロードもしくは録音を遂行する。
【０１２１】
図１３は，遠隔操作システムにおける楽曲情報との関連づけを説明するための説明図である。ここでは，電子機器１００としてのコンテンツサーバ５１０における音楽・映画コンテンツ情報７１０や，広告用ポスター５１２や携帯端末５１４におけるニュース情報７１２や広告情報７１４を，遠隔操作器１１０にダウンロードし，音楽や映画に参照される楽曲を特定するための楽曲情報７１６から，ダウンロードされたデータ中の番組名もしくはキーワードと合致する楽曲を抽出して，楽曲予約情報としての楽曲データ７１８を生成する。
【０１２２】
ここでは，例えば，コンテンツサーバ５１０における音楽・映画コンテンツ情報７１０から楽曲ヒットチャートを読み込んで，その中から所望する楽曲の再生コントロールコンテンツを購入したり，最新映画情報から関連する番組の視聴コントロールコンテンツを購入したりしている。
【０１２３】
そして，その楽曲データ７１８を放送受信装置１３０としてのオーディオプレーヤ５２６に送信する。放送受信装置１３０は，かかる楽曲データ７１８を受けて，所定のタイミングで自動的に所望の楽曲をダウンロードもしくは録音するとしても良い。また，他の通信手段によってオンラインアクセス７２２を行い，自動的にオンラインショッピングやオンライン電子チケットを購入することもできる。
【０１２４】
図１４Ａは，電子機器１００が有する広告用ポスターデータの他の実施形態を，図１４Ｂは，遠隔操作器１１０が生成する楽曲データの他の実施形態を示した説明図である。
【０１２５】
図１４Ａに示す広告用ポスターデータは，図１２Ａ同様，楽曲情報に限られていない一般的な情報を示している。かかる広告用ポスターは，ポスターの識別番号を示す広告用ポスター番号８１０，該ポスターの個別名（タイトル）を示すポスター名８１２，そのポスターに記載された内容の有効期限を示す情報有効期限８１４，そして，そのポスターの内容に関する説明キーワード８１６である，「アーティスト名」８１８，「楽曲名」８２０，…，「ジャンル」８２２が記されている。
【０１２６】
図１４Ａにおける広告用ポスターは，元々楽曲を特定することを目的として作成されたものではない。従って，遠隔操作器１１０は，上記のデータからキーワードを抽出して，そのデータの情報に沿った楽曲を検索する必要がある。そこで，遠隔操作器１１０は，取得されたデータ中の複数のキーワードを表示部３３０に表示し，ユーザに楽曲名もしくはキーワードを選択させる。また，選択された楽曲名もしくはキーワードで楽曲情報を検索し，複数の楽曲を抽出した場合においても，ユーザに楽曲を選択させる。
【０１２７】
ここでは，例えば，説明キーワード８１６の「アーティスト名」８１８と，「楽曲名」８２０と，「ジャンル」８２２から一つの楽曲を検出している。
【０１２８】
図１４Ｂに示す録画データは，上記のように図１４Ａに示した広告用ポスターの情報を基にして楽曲を検索した結果である。かかる楽曲データは，楽曲の識別ＩＤである楽曲ＩＤ  ８５０，楽曲名８５２，アーティスト名８５４，音楽ジャンル８５６，歌詞キーワード８５８としての「海」８６０，「夏」８６２，ランキング情報８６４が記されている。
【０１２９】
（第７の実施形態：遠隔操作方法）
続いて，遠隔操作器１１０が，電子機器１００から取得したデータを利用して，放送受信装置１３０を遠隔操作する遠隔操作方法を説明する。
【０１３０】
図１５は，遠隔操作方法の流れを示したフローチャートである。
【０１３１】
先ず，遠隔操作器１１０は，所定の周期で，番組に関する情報（例えば，番組名，放送チャンネル，放送開始時刻，放送時間，放送終了時間等）を含む電子番組情報を取得する（Ｓ９１０）。このように周期的に電子番組情報を取得することによって，後述するデータ取得時に処理時間を短縮することができ，効率よく録画予約を確定できる。
【０１３２】
ユーザは，例えば駅のコンコース等において，興味のある広告用ポスターを見つけた場合，そのポスターに関する放送番組の有無を確認する。ユーザは，自己が所持する携帯電話等の遠隔操作器１１０を広告用ポスターに近づける。そのとき，広告用ポスターの電子機器１００と自動的にデータ通信が開始され，遠隔操作器１１０の入力部のボタンを操作して，データを取得する（Ｓ９１２）。
【０１３３】
遠隔操作器１１０は，既に取得済みの電子番組情報から，データ取得ステップ（Ｓ９１２）で取得されたデータ中の番組名もしくはキーワードと合致する番組を抽出しようと試み（Ｓ９１４），抽出できたら，放送受信装置の録画予約に必要な録画データを生成し（Ｓ９１６），抽出が成功した旨，伝達部を介して，ユーザに伝達する（Ｓ９１８）。ここで，番組を抽出できなかった場合，抽出が失敗した旨，表示部を介してユーザに伝達し（Ｓ９２０），処理を終了する。
【０１３４】
このように生成された録画データが複数存在する場合，複数の録画データを全て表示部に表示し（Ｓ９２２），真に必要な録画データをユーザに選択させる（Ｓ９２４）。録画データの選択が完了すると，その選択された録画データを記憶する（Ｓ９２６）。
【０１３５】
ユーザは，このように録画データを蓄積した遠隔操作器１１０を，例えば，自宅に持ち帰り，自宅に備え付けの放送受信装置１３０の録画予約に利用する。遠隔操作器１１０および放送受信装置１３０がＩｒＤＡ通信に対応している場合，赤外線によって録画データが送信され，放送受信装置１３０がＮＦＣに対応している場合，ＮＦＣによる電磁波通信で録画データが送信される（Ｓ９２８）。このように録画予約が完了すると（Ｓ９３０），放送受信装置１３０内には，録画予約のリストである録画リストが生成され，その録画リストに基づいて録画が実施される（Ｓ９３２）。
【０１３６】
かかる遠隔操作方法によって，任意の場所で所望する放送番組の情報を取得し，その場所で番組予約の可否を確認，蓄積でき，さらに，放送受信装置に対して容易な処理で録画予約を実行できる。
【０１３７】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１３８】
例えば，上記の実施形態において，電子番組情報を受信する放送アンテナおよびＥＰＧ受信回路は遠隔操作器内に設けられているが，かかる場合に限られず，このような電子番組情報を取得する構成が放送受信装置に設けられ，遠隔操作器からの録画データの送信時に，放送受信装置から遠隔操作器に電子番組情報が送信され，遠隔操作器は，この電子番組情報を蓄積して，電子機器からのデータの検索に利用するとしても良い。
【０１３９】
また，上記の実施形態においては，電子機器として広告用ポスターを例に挙げて説明したが，かかる場合に限られず，テレビジョンの一部として電子機器を設ける等，あらゆる場所に適用できる。上記テレビジョンの一部に設ける場合，テレビジョンの放送中，その番組の付帯情報として番組情報が配信され，遠隔操作器を翳してその番組情報を取り込むことができる。
【０１４０】
また，上記実施形態では，電子機器と遠隔操作器，遠隔操作器と放送受信装置の通信を非接触無線通信によって行っているが，かかる場合に限られず，有線または無線で行うとしても良く，接触式または非接触式で行うこともできる。
【０１４１】
なお，本明細書の遠隔操作方法における各ステップは，必ずしもフローチャートとして記載された順序に沿って時系列に処理する必要はなく，並列的あるいは個別に実行される処理（例えば，並列処理あるいはオブジェクトによる処理）も含むとしても良い。
【図面の簡単な説明】
【０１４２】
【図１】第１の実施形態における遠隔操作システムの概略的な構成を示したブロック図である。
【図２】第１の実施形態における遠隔操作システムの概略的な構成を示したブロック図である。
【図３】第２の実施形態における電子機器の概略的な構成を示したブロック図である。
【図４】第２の実施形態による電子機器の概略的な構成を示した回路ブロック図である。
【図５】第３の実施形態における遠隔操作器の概略的な構成を示したブロック図である。
【図６】第３の実施形態による遠隔操作器の概略的な構成を示した回路ブロック図である。
【図７】第４の実施形態における放送受信装置の概略的な構成を示したブロック図である。
【図８】第４の実施形態による放送受信装置の概略的な構成を示した回路ブロック図である。
【図９】遠隔操作システムの具体例を示す模式図である。
【図１０】遠隔操作システムにおける電子番組情報との関連づけを説明するための説明図である。
【図１１Ａ】電子機器が有する広告用ポスターデータを示した説明図である。
【図１１Ｂ】遠隔操作器が生成する録画データを示した説明図である。
【図１２Ａ】電子機器が有する広告用ポスターデータの他の実施形態を示した説明図である。
【図１２Ｂ】遠隔操作器が生成する録画データの他の実施形態を示した説明図である。
【図１３】遠隔操作システムにおける楽曲情報との関連づけを説明するための説明図である。
【図１４Ａ】電子機器が有する広告用ポスターデータの他の実施形態を示した説明図である。
【図１４Ｂ】遠隔操作器が生成する楽曲データの他の実施形態を示した説明図である。
【図１５】遠隔操作方法の流れを示したフローチャートである。
【符号の説明】
【０１４３】
１００  電子機器
１１０  遠隔操作器
１３０  放送受信装置
３１４  番組取得部
３１８  データ取得部
３２０  番組選択部
３２２  録画データ生成部
３２４  伝達部
３２６  録画データ記憶部
３２８  録画データ送信部
３３０，３６４，４６２  表示部
３３２  録画データ選択部
４１２  録画データ受信部
４１４  録画予約部
４１８  録画部
【図１】
0004687310.tif 000002
【図２】
0004687310.tif 000003
【図３】
0004687310.tif 000004
【図４】
0004687310.tif 000005
【図５】
0004687310.tif 000006
【図６】
0004687310.tif 000007
【図７】
0004687310.tif 000008
【図８】
0004687310.tif 000009
【図９】
0004687310.tif 000010
【図１０】
0004687310.tif 000011
【図１１Ａ】
0004687310.tif 000012
【図１１Ｂ】
0004687310.tif 000013
【図１２Ａ】
0004687310.tif 000014
【図１２Ｂ】
0004687310.tif 000015
【図１３】
0004687310.tif 000016
【図１４Ａ】
0004687310.tif 000017
【図１４Ｂ】
0004687310.tif 000018
【図１５】
0004687310.tif 000019